(57)【要約】      （修正有）【課題】携帯電子機器を収容するケース本体をさわり心地の良い軟質発泡樹脂として嗜好性に富むものとすると共に、収容対象物の保持性を損なうことの無い携帯電子機器ケースを提供する。【解決手段】携帯電子機器を収容する携帯電子機器用ケースにおいて、板状体の基部１ａと基部の周縁に亘り基部に対して上方に立設する側部１ｂとを備える上面開口の箱状体を呈するケース本体１が軟質発泡樹脂からなり、ケース本体の携帯電子機器本体が当接する内側の面に、弾性体保持部２が重ね合せた状態で一体成形されている。【選択図】図１
0003214811.tif 000002
【実用新案登録請求の範囲】
【請求項１】
携帯電子機器を収容する携帯電子機器用ケースにおいて、
板状体の基部と当該基部の周縁に亘り基部に対して上方に立設する側部とを備える上面開口の箱状体を呈するケース本体が軟質発泡樹脂からなり、前記ケース本体の携帯電子機器本体が当接する内側の面に、弾性体保持部が重ね合せた状態で一体成形されていることを特徴とする携帯電子機器用ケース。
【請求項２】
携帯電子機器を収容する携帯電子機器用ケースにおいて、
板状体の基部と当該基部の周縁に亘り基部に対して上方に立設する側部とを備える上面開口の箱状体を呈するケース本体が軟質発泡樹脂からなり、前記ケース本体の携帯電子機器本体が当接する内側の面に、平坦シート状弾性体保持部が重ね合せた状態で一体成形されていることを特徴とする携帯電子機器用ケース。
【請求項３】
携帯電子機器を収容する携帯電子機器用ケースにおいて、
板状体の基部と当該基部の周縁に亘り基部に対して上方に立設する側部とを備える上面開口の箱状体を呈するケース本体が軟質発泡樹脂からなり、前記ケース本体の携帯電子機器本体が当接する内側の面に、皿状体を呈する弾性体保持部が重ね合せた状態で一体成形されていることを特徴とする携帯電子機器用ケース。
【請求項４】
携帯電子機器を収容する携帯電子機器用ケースにおいて、
板状体の基部と当該基部の周縁に亘り基部に対して上方に立設する側部とを備える上面開口の箱状体を呈するケース本体が軟質発泡樹脂からなり、前記ケース本体の携帯電子機器本体が当接する内側の面に、箱状体を呈する弾性体保持部が重ね合せた状態で一体成形されていることを特徴とする携帯電子機器用ケース。
【請求項５】
前記軟質発泡樹脂が発泡ポリウレタンであることを特徴とする請求項１乃至請求項３に記載された携帯電子機器用ケース。
【請求項６】
前記弾性体保持部が熱可塑性ポリウレタンであることを特徴とする請求項１乃至請求項３に記載された携帯電子機器用ケース。
【請求項７】
前記ケース本体に装飾が施された形状であることを特徴とする請求項１乃至請求項５に記載された携帯電子機器ケース。
【考案の詳細な説明】
【技術分野】
【０００１】
本考案は、スマートフォンをはじめとする携帯電子機器を収容する携帯電子機器用ケースに関するものである。
【背景技術】
【０００２】
従来より、携帯電子機器を収容するケースは各種提案され、例えば、上面が開口された箱状体を呈する硬質プラスチック素材からなるケースが公知である（先行技術参照）。
【先行技術文献】
【特許文献】
【０００３】
【特許文献１】実用新案登録第３０７８２２５号公報
【０００４】
しかしながら、近時、ストラップなどのキャラクターの素材として注目される発泡ポリウレタンをケース全体の素材とするような、ケース自体に使用者の快適性を喚起する携帯電子機器ケースがみられなかった。
【０００５】
一方、発泡ポリウレタンは、さわり心地の良い素材なため形状変形が容易となり、収容対象物の保持力に問題があり、殊に、携帯電子機器ケースにおいてはディスプレイを露出させるべく上面全体が大きく開口した形状となるため、軟質素材における収容対象物との嵌合性に課題があった。
【考案の概要】
【考案が解決しようとする課題】
【０００６】
本考案は、上記問題点に鑑みなされたものであって、携帯電子機器を収容するケース本体をさわり心地の良い軟質発泡樹脂として嗜好性に富むものとすると共に、収容対象物の保持性を損なうことの無い携帯電子機器ケースを提供するものである。
【課題を解決するための手段】
【０００７】
本考案は、請求項１に記載のように、携帯電子機器を収容する携帯電子機器用ケースにおいて、板状体の基部と当該基部の周縁に亘り基部に対して上方に立設する側部とを備える上面開口の箱状体を呈するケース本体が軟質発泡樹脂からなり、前記ケース本体の携帯電子機器本体が当接する内側の面に、弾性体保持部が重ね合せた状態で一体成形されていることを特徴とするものである。
【０００８】
本考案は、請求項２に記載のように、携帯電子機器を収容する携帯電子機器用ケースにおいて、板状体の基部と当該基部の周縁に亘り基部に対して上方に立設する側部とを備える上面開口の箱状体を呈するケース本体が軟質発泡樹脂からなり、前記ケース本体の携帯電子機器本体が当接する内側の面に、平坦シート状弾性体保持部が重ね合せた状態で一体成形されていることを特徴とするものである。
【０００９】
本考案は、請求項３に記載のように、携帯電子機器を収容する携帯電子機器用ケースにおいて、板状体の基部と当該基部の周縁に亘り基部に対して上方に立設する側部とを備える上面開口の箱状体を呈するケース本体が軟質発泡樹脂からなり、前記ケース本体の携帯電子機器本体が当接する内側の面に、皿状体を呈する弾性体保持部が重ね合せた状態で一体成形されていることを特徴とするものである。
【００１０】
本考案は、請求項４に記載のように、携帯電子機器を収容する携帯電子機器用ケースにおいて、板状体の基部と当該基部の周縁に亘り基部に対して上方に立設する側部とを備える上面開口の箱状体を呈するケース本体が軟質発泡樹脂からなり、前記ケース本体の携帯電子機器本体が当接する内側の面に、箱状体を呈する弾性体保持部が重ね合せた状態で一体成形されていることを特徴とするものである。
【００１１】
本考案は、請求項５に記載のように、請求項１乃至請求項４に記載された携帯電子機器用ケースにおいて、前記軟質発泡樹脂が発泡ポリウレタンであることを特徴とするものである。
【００１２】
本考案は、請求項６に記載のように、請求項１乃至請求項４に記載された携帯電子機器用ケースにおいて、前記弾性体保持部が熱可塑性ポリウレタンであることを特徴とするものである。
【００１３】
本考案は、請求項７に記載のように、請求項１乃至請求項６に記載された携帯電子機器用ケースにおいて、前記ケース本体に装飾が施された形状であることを特徴とするものである。
【考案の効果】
【００１４】
本考案は、請求項１乃至請求項７に記載した構成を採用することにより、携帯電子機器を収容するケース本体をさわり心地の良い軟質発泡樹脂として嗜好性に富むものとすると共に、軟質発泡樹脂とは硬度の異なる弾性体を一体成形することにより収容対象物の保持性を損なうことの無い携帯電子機器ケースを提供することが可能となる。
【図面の簡単な説明】
【００１５】
【図１】本考案に係る携帯電子機器用ケースにおけるケース本体及び弾性体保持部の一実施形態を表した斜視図である。
【図２】本考案に係る携帯電子機器用ケースの一実施形態を表した図である。
【考案を実施するための形態】
【００１６】
以下、図１〜図２を参照し、本考案に係る携帯電子機器用ケースの一実施形態に関して詳細に説明する。
【００１７】
本考案に係る携帯電子機器用ケースＡは、スマートフォンなどの携帯電子機器の保護やケース自体の快適性や装飾性のために使用されるものである。
【００１８】
携帯電子機器（図示せず）の基本的形状は、周知のとおり、略長方形の薄板状を呈するものが汎用されていることから、以下の実施形態は、概ね当該基本的形状に対応するケースについて説明する。
【００１９】
なお、携帯電子機器は機種などにより全体形状や操作ボタンなどの配置が異なるが、本考案は、本考案の要旨の範囲内において、各種の携帯電子機器に対応する携帯電子機器用ケースに適用されるものである。
【００２０】
ケース本体１は、各種携帯電子機器の形状に対応して形成されるものであるが、基本的態様は図示のとおり、携帯電子機器が収容された際、携帯電子機器のディスプレイが配された上面が露出し、携帯電子機器の側面（頂面および底面を含む）が被覆されるように構成される。
【００２１】
したがって、ケース本体１の基本的形状は、長方形の板状体からなる基部１ａと当該基部の周縁から上方に立設される側部１ｂとを有し、上面が開口された箱状体を呈することになる。
なお、本考案に係るケース本体１の「側部」とは、図においても明らかなとおり、基部の全周縁から立設されるすべての部分を意味するものであり、収容電子機器の頂面、底面を被覆する部分を含む概念である。
また、図示した実施態様に表わしたように、ケース本体１には、収容される携帯電子機器のカメラレンズや各種操作ボタンに対応する貫通孔が設けられている。
【００２２】
本考案にあっては、ケース本体１の素材として、軟質性発泡樹脂、例えば、請求項５に記載のような発泡ポリウレタンなどが使用される。
【００２３】
発泡ポリウレタンからなるケース本体１は、使用者が常時握った状態において、あるいは指で押した際の感触が極めて心地よく、かかる素材を採用することにより、非常に嗜好性に富む携帯電子機器ケースを提供することができる。
【００２４】
また、ケース本体１は、請求項７に記載のように、模様やキャラクターなどを配するなど各種の装飾を施すことにより、ケース自体のバリエーションを増やすことが可能となる。
【００２５】
ケース本体１の厚みは、使用素材、対応機器機種、装飾形態に応じ、電子機器の保持性などを考慮して決定されるものであり、特に限定されるものではない。
【００２６】
ケース本体１の内側の面、すなわち、携帯電子機器が収容の際に当接する側の面には、弾性体保持部２が、ケース本体１に重ねた状態に一体成形されている。
【００２７】
弾性体保持部２は、請求項６に記載のように、熱可塑性ポリウレタンなどが使用される。
【００２８】
ケース本体１の使用素材である発泡ポリウレタンは、上述のとおりさわり心地が良好であるが、いきおい軟質素材のため容易に形状変形することから携帯電子機器の保持性に難がある。
このため、本考案においては、ケース本体に、発泡ポリウレタンに比し硬度の高い弾性体を重ね合せ一体成形することにより、ケース本体の形状維持が格段に安定することとなる。
かかる構成を採用することにより、ケース本体と携帯電子機器は良好に嵌合され、収容保持が高まることになる。
【００２９】
弾性体保持部２の厚みは、ケース本体の使用素材や使用形態などを考慮し、ケース本体の形状安定を達成することができる厚みが適宜選択される。
【００３０】
弾性体保持部２は、ケース本体１の形状安定を達成する限りにおいて、ケース本体１の形状に対応した形状を有するが、例えば、図示のように、ケース本体１の基部１ａ全面および側部１ｂの一定高さに対応すべく、平坦状シート２ａと当該シート周縁に亘り平坦状シート２ａに対し上方に立設される側部２ｂを有する略箱状体又は略皿状体をはじめ、基部全面に対応する平坦状シートや、ケース本体の形状とほぼ同様の形状を呈する箱状体も想定される。
【００３１】
ケース本体１と弾性体保持部２とは一体成形されるものであるが、成形方法に特段の限定はなく、一般的な熱可塑性樹脂の成形法により行うことが可能である。
例えば、インモールド成形において、金型内に成形された弾性体保持部をセットしたうえ、各種形状に成形されるケース本体の素材である発泡ポリウレタンを流し込み、射出時の熱と圧力により、ケース本体１と弾性体保持部２を一体成形する方法が挙げられる。
【符号の説明】
【００３２】
Ａ  携帯電子機器用ケース
１    ケース本体
１ａ  基部
１ｂ  側部
２    弾性体保持部
【図１】
0003214811.tif 000003
【図２】
0003214811.tif 000004